(57)【特許請求の範囲】
【請求項１】
ねじの駆動部に係合可能な係合部を有するビット本体と、
このビット本体の係合部付近にビット本体に沿って摺動可能に設けられた磁化部材と、
この磁化部材を内包して一体に摺動可能かつねじに対応する先端面をねじ頭部上面に沿う形状に形成したガイドと、
前記磁化部材と相反発するように配置され、前記ガイドの先端面から常時前記ビット本体の係合部が所定量僅かに突出するよう前記磁化部材を常時係合部先端側へ付勢する付勢用磁化部材と
を備えていることを特徴とするねじ締め用ドライバ工具。
【請求項２】
ガイドはねじの頭部径以下の外径であることを特徴とする請求項１に記載のねじ締め用ドライバ工具。
【発明の詳細な説明】
【０００１】
【発明の属する技術分野】
本発明は、ワークにねじを締め付ける場合に用いられるねじ締め用ドライバ工具に関する。
【０００２】
【従来の技術】
従来から、ねじの締付け作業においては各種のねじ締め用ドライバ工具が用いられている。最もよく知られているのは、頭部に十字様の駆動穴が形成されたねじを締め付ける時に利用されるドライバ工具であり、周知のとおり、このドライバ工具は、ねじの十字様駆動穴に合致嵌合するよう、その先端部が横断面十字様に形成されている。最近では、このようなドライバ工具が自動ねじ締め機に代表される自動化ユニットにおいて広く利用されるようになり、ねじを保持する必要性から様々に改良がなされている。その中でも特に優れたねじの保持特性を有するのが、特開平８−２２９８４０号公報によって周知のドライバ工具である。
【０００３】
前記ドライバ工具は、ねじの駆動穴に係合可能な先端部を有するビット本体を設け、このビット本体の先端部外周部分に円筒状の磁化部材（永久磁石）をスライド自在に挿通させるとともに、この磁化部材を一体的に包含する保護部材を配置して構成されている。この保護部材はビット本体の軸線方向へ幾分移動可能なように設けられており、その先端はねじの頭部上面に沿う形状に構成されている。これにより、ねじの駆動穴の形状誤差を吸収してビット本体の先端部を正しくねじの駆動穴に嵌合させ、かつねじを姿勢正しく保持して、ねじ締めを行うことができるようになっている。
【０００４】
【発明が解決しようとする課題】
しかし、従来のドライバ工具においては、保護部材の先端面にねじ頭部上面を案内して保持した時、ビット本体の先端部がねじの駆動穴にほぼ合致嵌合するようになっている。したがって、ビット本体の先端部とねじの駆動穴との位相が合っていない場合には、ねじを姿勢正しく保持することができなかった。このため、このドライバ工具を自動化ユニットにおいて使用する場合には、ねじの駆動穴との位相合わせのために何らかの位相合わせ手段が必要になっていた。また、従来のドライバ工具では、磁石がスライド自在に案内されているだけなので、ねじを締め付ける時、ドライバ工具の近くに強磁性の材料で構成されたワークの一部が位置すると、これによって磁化部材が誤動作してしまい、折角吸着保持したねじを落下させてしまう等の問題が発生していた。
【０００５】
【課題を解決するための手段】
本発明は、上記課題に鑑みて創成されたものであり、ねじを姿勢正しく確実に保持することが可能なねじ締め用ドライバ工具の提供を目的とする。この目的を達成するため、本発明は、ねじの駆動部に係合可能な係合部を有するビット本体と、このビット本体の係合部付近にビット本体に沿って摺動可能に設けられた磁化部材と、この磁化部材を内包して一体に摺動可能かつねじに対応する先端面をねじ頭部上面に沿う形状に形成したガイドと、前記磁化部材と相反発するように配置され、前記ガイドの先端面から常時前記ビット本体の係合部が所定量僅かに突出するよう前記磁化部材を常時係合部先端側へ付勢する付勢用磁化部材とを備えていることを特徴とする。
【０００６】
前記ガイドはねじの頭部径以下の外径に形成されていることが好ましい。
【０００７】
【発明の実施の形態】
以下、本発明の実施の形態を図面に基づいて説明する。図１乃至図３において、１はねじ締め用ドライバ工具であり、十字穴付きねじＳ（以下、単にねじＳという）の十字様駆動穴ｈ（以下、単に駆動穴ｈという）に係合可能な横断面十字様の係合部２ａを有するビット本体２と、このビット本体２の係合部２ａ付近に配置された円筒状の磁化部材３と、この磁化部材３と相反発するように設けられ、磁化部材３を常時前記係合部２ａの先端方向へ付勢する付勢手段の一例である付勢用磁化部材４と、前記磁化部材３を内包するように設けられたガイド５とを備えている。なお、前記磁化部材３及び付勢用磁化部材４は共に永久磁石である。
【０００８】
ガイド５は、ねじＳの頭部径以下の外径を成す略円筒状の薄肉部材であり、前記ビット本体２にピン６によって連結されている。このピン６が係合するガイド５の係合穴５ａは、ビット本体２の軸線方向に延びる長穴になっており、ガイド５は、この係合穴５ａの分、ビット本体２の軸線方向へ摺動できるように構成されている。
【０００９】
また、ガイド５の先端部分５ｂは、磁化部材３の端面に係止してこれを支える構造になっており、よってガイド５は付勢用磁化部材４によって付勢される磁化部材３とともに、常時ビット本体２先端側へ付勢される。
【００１０】
さらに、ガイド５の先端部分５ｂのビット本体２先端側に向く先端面５ｃは、十字穴付きなべ小ねじに代表される頭部上面が曲面に構成されたねじＳの頭部上面に沿う形状に形成されており、この先端面５ｃからは前記ビット本体２の係合部２ａが僅かに突出するように設定されている。この係合部２ａの突出量については、図２（ａ）に示すようにガイドの端面がねじＳの頭部上面に接した時、係合部２ａの羽根部分が図２（ｂ）に示すようにねじＳの駆動穴ｈの羽根部分に掛からない程度、係合部２ａが駆動穴ｈに嵌合するように調整されている。
【００１１】
なお、前記ビット本体２、ガイド５及びピン６は、全てステンレス鋼などの磁化され難い材料によって形成されており、これにより磁化部材３の摺動が円滑になるように構成されている。
【００１２】
上記ドライバ工具１は、図３（ａ）に示すように、ねじＳの頭部上面にガイド５の先端面５ｃを当接させることにより、磁化部材３の磁力でねじを吸着保持する。この時、ガイド５が薄く、磁化部材３が常時係合部２ａ先端側へ付勢されているので、ねじＳに磁化部材３の磁力を最大限作用させることができ、よってねじＳを強力に吸着保持することが可能である。
【００１３】
また、ガイド５の先端面５ｃはねじＳの頭部上面に沿う形状であり、かつこの先端面５ｃからは所定量僅かに係合部２ａ先端を突出しているため、係合部２ａと駆動穴ｈとの位相が合っていなくても、ガイド５の先端面５ｃにねじＳの頭部上面を沿わせて姿勢正しく保持することができ、しかも、ガイド５の先端面５ｃに接したねじが傾こうとしても、これを係合部２ａによって阻止することができる。
【００１４】
さらに、磁化部材３を付勢することにより、ドライバ工具１の近くに強磁性の材料で構成された部品がある環境下でも磁化部材３が誤動作するようなことがなく、ガイド５の先端面５ｃからの係合部２ａの突出量を常に一定に保ち、安定したねじの保持が可能になる。
【００１５】
図３（ｂ）に示すように、吸着保持したねじを締め付ける場合には、ビット本体２に推力がかけられることにより、ガイド５及び磁化部材３は付勢用磁化部材４の磁力に逆らって後退し、ねじＳの駆動穴ｈには係合部２ａが完全に合致嵌合する。この時、磁化部材３に付勢用磁化部材４の磁力が作用していることにより、係合部２ａがねじＳの駆動穴ｈに合致嵌合する時の衝撃を幾分緩和することができ、よって係合部２ａとねじＳの駆動穴ｈとの喰い付きを緩和することができる。
【００１６】
ねじを締め付けた後、ドライバ工具１とねじＳとを分離させると、磁化部材３及びガイド５は、図３（ｃ）に示すように、付勢用磁化部材４の磁力を受けて確実かつ速やかに原位置に復帰する。したがって、自動化ユニットに用いて繰り返しねじ締めを行う場合には、確実かつ迅速な作業性を提供することが可能である。
【００１７】
なお、以上の説明では、磁化部材３を付勢するための付勢手段の一例として永久磁石である付勢用磁化部材４を用いているが、これをばねに代えることもできる。しかしながら、ビット本体の直径がねじに確実に駆動力を伝達できる係合部を得られる寸法で、かつガイドの外径がねじの頭部径以下の寸法であるドライバ工具を実現しようとすると、ビット本体とガイドとの隙間は極めて小さくなってしまうので、現実には磁力による付勢が最も有効である。
【００１８】
【発明の効果】
以上説明した本発明のねじ締め用ドライバ工具の効果をまとめると、次のようになる。
・ねじに磁化部材の磁力を最大限作用させることができ、ねじを強力に保持することができる。
・係合部とねじの駆動穴との位相が合っていなくても、ガイド先端にねじを姿勢正しく吸着保持することができるとともに、その状態でねじが傾くのを防止することができる。
・磁化部材及びガイドを常時係合部先端側へ付勢しておくことにより、ガイド先端からの係合部の突出量を常に適正なし、安定したねじの吸着保持が可能になる。
・付勢用磁化部材の磁力を利用して磁化部材を付勢する方式であるため、ガイドの外径をねじの頭部径以下の寸法にしてビット本体とガイドとの隙間が微小になっても、磁化部材及びガイドを確実に付勢することができる。つまり、極めてコンパクトな構成であっても前述の効果を奏し得るドライバ工具を提供し得るのである。
【図面の簡単な説明】
【図１】本発明に係るねじ締め用ドライバ工具の（ａ）は要部拡大正面図、（ｂ）はそのＡ−Ａ線断面図である。
【図２】（ａ）は本発明に係るねじ締め用ドライバ工具にねじを吸着保持した状態を示す要部拡大断面図であり、（ｂ）はその時のねじの駆動穴と係合部との嵌合状態を示す拡大断面図である。
【図３】本発明に係るねじ締め用ドライバ工具の動作説明図である。
【符号の説明】
１  ねじ締め用ドライバ工具
２  ビット本体
２ａ  係合部
３  磁化部材
４  付勢用磁化部材
５  ガイド
５ｃ  先端面
６  ピン
【図１】
0003786396.tif 000002
【図２】
0003786396.tif 000003
【図３】
0003786396.tif 000004